(57)【要約】【課題】表面シートにフィルム層が積層されてなる積層ラベルにおいて、部分的に、被着体に貼付された後に剥離される用途以外の用途で使用する。【解決手段】伝票用紙１０とシリコン層５０ａとニス層５０ｂとフィルム層３０と粘着層４０と剥離紙２０とから構成され、伝票用紙１０が、配達票１１及び貼付票１２と納品書１３とがミシン目１５によって分離可能となって構成されており、配達票１１及び貼付票１２の裏面には、シリコン層５０ａとニス層５０ｂとフィルム層３０とからなる剥離構造が設けられ、この剥離構造を介して剥離紙２０が粘着層４０によって剥離可能に貼着され、納品書１３は、粘着層４０によって剥離紙２０が剥離可能に貼着されている。【選択図】図１
2018077407.tif 000002
【特許請求の範囲】
【請求項１】
互いに分離可能な第１及び第２の領域を具備する表面シートと、
前記表面シートのうち前記第１の領域の一方の面に積層された第１の剥離層と、
前記第１の剥離層の前記第１の領域との積層面とは反対側の面に積層されたフィルム層と、
前記フィルム層の前記第２の剥離層との積層面とは反対側の面に積層された粘着層と、
台紙シートの表面に第２の剥離層が積層されて構成され、前記粘着層の前記フィルム層との積層面とは反対側の面に、前記第２の剥離層が積層された面を積層面として積層された剥離紙とを有する、積層ラベル。
【請求項２】
請求項１に記載の積層ラベルにおいて、
前記粘着層及び前記剥離紙は、前記表面シートの前記第２の領域の一方の面にも、前記粘着層、前記剥離紙の順で積層されている、積層ラベル。
【請求項３】
請求項２に記載の積層ラベルにおいて、
前記第２の領域は、当該第２の領域から前記粘着層とともに分離可能に区画形成されたラベル部を有する、積層ラベル。
【請求項４】
請求項１に記載の積層ラベルにおいて、
前記粘着層及び前記台紙シートは、前記表面シートの前記第２の領域の一方の面にも、前記粘着層、前記台紙シートの順で積層されている、積層ラベル。
【発明の詳細な説明】
【技術分野】
【０００１】
本発明は、表面シートにフィルム層が積層されてなる積層ラベルに関し、特に、表面シートが、互いに分離可能な２つの領域を有する積層ラベルに関する。
【背景技術】
【０００２】
従来、配送物を配送する場合、配送物の配送元及び配送先の住所や氏名あるいは名称等の配送情報が記入された配送ラベルが用いられ、配送情報が記入された配送ラベルが配送物に貼付され、配送ラベルに記入された配送情報に従って配送物が配送先に配送されている。このような配送ラベルにおいては、配送物が配送先に配送された後に配送業者が持ち帰る配達票が分離可能に構成されたものが用いられている。この配送ラベルを用いた場合、配送物が配送先に配送されると、配達票に受領印が押下され、配達票が配送ラベルから分離されて配送業者によって持ち帰られることにより、配送物が配送先に配送されたことが管理される。
【０００３】
ここで、表面基材の一方の面に剥離層を介して樹脂層が積層され、樹脂層の表面基材との積層面とは反対側の面に積層された接着層によって被着体に貼付され、その後、表面基材が剥離層によって樹脂層から剥離されることで、表面基材を被着体から分離できる積層ラベルが考えられている（例えば、特許文献１参照）。この積層ラベルを上記のような配送ラベルに用いることで、配送物に貼付された後、配達票や貼付票を配送物から分離することができるようになる。
【先行技術文献】
【特許文献】
【０００４】
【特許文献１】特開２００１−２０２０２２号公報
【発明の概要】
【発明が解決しようとする課題】
【０００５】
ところで、特許文献１に記載された積層ラベルを上記のような配送ラベルに用いた場合、表面基材が樹脂層から剥離されることで配送物から分離可能な構成となる。そのため、配達票や貼付票として利用することは想定されるものの、部分的に配達票や貼付票以外の用途として利用する場合、その部分においても表面基材と樹脂層とが剥離可能に積層された形態となっていることから、取扱いが不便な場合があり、汎用性に乏しいという問題点がある。
【０００６】
本発明は、上述したような従来の技術が有する問題点に鑑みてなされたものであって、表面シートにフィルム層が積層されてなる積層ラベルにおいて、部分的に、被着体に貼付された後に剥離される用途以外の用途で使用することができる積層ラベルを提供することを目的とする。
【課題を解決するための手段】
【０００７】
上記目的を達成するために本発明は、
互いに分離可能な第１及び第２の領域を具備する表面シートと、
前記表面シートのうち前記第１の領域の一方の面に積層された第１の剥離層と、
前記第１の剥離層の前記第１の領域との積層面とは反対側の面に積層されたフィルム層と、
前記フィルム層の前記第１の剥離層との積層面とは反対側の面に積層された粘着層と、
台紙シートの表面に第２の剥離層が積層されて構成され、前記粘着層の前記フィルム層との積層面とは反対側の面に、前記第２の剥離層が積層された面を積層面として積層された剥離紙とを有する。
【０００８】
上記のように構成された本発明においては、剥離紙が剥離されて表出した粘着層によって被着体に貼付され、その後、表面シートとフィルム層とが第１の剥離層を介して剥離されるようにして使用されることになるが、第１の剥離層、フィルム層、粘着層及び剥離紙からなる積層構造は、表面シートの第１の領域の一方の面に設けられたものであるため、表面シートの第２の領域においては、第１の領域から分離してその積層構造を用いることなく使用することができる。
【０００９】
その場合、粘着層及び剥離紙が、表面シートの第２の領域の一方の面にも、粘着層、剥離紙の順で積層されていれば、第２の領域について剥離紙を剥離しなければタグ形態として、また、剥離紙を剥離すればラベル形態として使用することができる。
【００１０】
また、第２の領域が、第２の領域から粘着層とともに分離可能に区画形成されたラベル部を有していれば、ラベル部を第２の領域から粘着層とともに分離してラベルとして使用することができる。
【００１１】
また、粘着層及び台紙シートが、表面シートの第２の領域の一方の面にも、粘着層、台紙シートの順で積層されていれば、第２の領域についてタグ形態として使用することができる。
【発明の効果】
【００１２】
本発明によれば、互いに分離可能な第１及び第２の領域を具備する表面シートの一方の面に設けられた、第１の剥離層、フィルム層、粘着層及び剥離紙からなる積層構造が、表面シートの第１の領域の一方の面に設けられたものであるため、表面シートの第２の領域においては、第１の領域から分離して、被着体に貼付された後に剥離される用途以外の用途で使用することができる。
【００１３】
また、粘着層及び剥離紙が、表面シートの第２の領域の一方の面にも、粘着層、剥離紙の順で積層されているものにおいては、第２の領域について剥離紙を剥離しなければタグ形態として、また、剥離紙を剥離すればラベル形態として使用することができる。
【００１４】
また、第２の領域が、第２の領域から粘着層とともに分離可能に区画形成されたラベル部を有するものにおいては、ラベル部を第２の領域から粘着層とともに分離してラベルとして使用することができる。
【００１５】
また、粘着層及び台紙シートが、表面シートの第２の領域の一方の面にも、粘着層、台紙シートの順で積層されているものにおいては、第２の領域についてタグ形態として使用することができる。
【図面の簡単な説明】
【００１６】
【図１】本発明の積層ラベルの第１の実施の形態を示す図であり（ａ）は表面図、（ｂ）は（ａ）に示したＡ−Ａ’断面図である。
【図２】図１に示した配送ラベルが製造されていく様子を示す配送ラベルの断面図である。
【図３】図１に示した配送ラベルの配達票及び貼付票と納品書との分離方法を説明するための図である。
【図４】図１に示した配達票及び貼付票が被着体となる配送物に貼付されるまでの使用方法を説明するための図である。
【図５】図１に示した納品書が被着体となる配送物に貼付されるまでの使用方法を説明するための図である。
【図６】図１に示した配達票及び貼付票が配送物に貼付された後に配達票を剥離する際の作用を説明するための図である。
【図７】図１に示した配達票及び貼付票が配送物に貼付された後に貼付票を剥離する際の作用を説明するための図である。
【図８】本発明の積層ラベルの第２の実施の形態を示す図であり（ａ）は表面図、（ｂ）は（ａ）に示したＡ−Ａ’断面図である。
【図９】本発明の積層ラベルの第３の実施の形態を示す図であり（ａ）は表面図、（ｂ）は（ａ）に示したＡ−Ａ’断面図である。
【図１０】図９に示した配送ラベルの使用方法を説明するための図である。
【図１１】本発明の積層ラベルの第４の実施の形態を示す図であり（ａ）は表面図、（ｂ）は（ａ）に示したＡ−Ａ’断面図である。
【図１２】図１１に示した配送ラベルの使用方法を説明するための図である。
【図１３】本発明の積層ラベルの第５の実施の形態を示す図であり（ａ）は表面図、（ｂ）は（ａ）に示したＡ−Ａ’断面図である。
【発明を実施するための形態】
【００１７】
以下に、本発明の実施の形態について図面を参照して説明する。
【００１８】
（第１の実施の形態）
図１は、本発明の積層ラベルの第１の実施の形態を示す図であり（ａ）は表面図、（ｂ）は（ａ）に示したＡ−Ａ’断面図である。
【００１９】
本形態における積層ラベルは図１に示すように、表面シートとなる伝票用紙１０と、第１の剥離層となるシリコン層５０ａ及びニス層５０ｂと、フィルム層３０と、粘着層４０と、剥離紙２０とから構成されている。
【００２０】
伝票用紙１０は、感熱紙や上質紙からなり、第１の領域となる配達票１１と、貼付票１２と、第２の領域となる納品書１３とがスリット１４及びミシン目１５を介して分離可能に連接して構成されている。伝票用紙１０の表面には、この配送ラベル１が貼付されて配送される配送物の配送先の住所や氏名あるいは名称、品名等の配送情報が印字あるいは記入される配送情報表示領域１１ａ，１２ａが配達票１１及び貼付票１２となる領域にそれぞれ設けられており、配達票１１となる領域の表面には、さらに、配送物の配送先にて受領印が押下される押印領域１１ｂが設けられている。また、納品書１３には、配送物の納品情報が印字あるいは記入される納品情報表示領域１３ｅが設けられている。配達票１１と貼付票１２とは、図１中縦方向に並んでスリット１４を介して連接している。納品書１３は、配達票１１及び貼付票１２と図１中横方向に並んでミシン目１５を介してこれら配達票１１及び貼付票１２と連接している。なお、配達票１１と貼付票１２と納品書１３とを分離可能とする切り離し線としては、スリット１４やミシン目１５に限らず、特定の形状の切り込みが一方向に配列してなる、いわゆるジッパー等、周知のものを適宜採用することができる。
【００２１】
伝票用紙１０の裏面には、配達票１１及び貼付票１２となる領域のうちミシン目１５に沿う領域を除いた全面に、シリコンが、例えば１〜１０μｍの厚さで塗布されることでシリコン層５０ａが積層されている。このシリコン層５０ａとしては、例えば、２アクリル酸ヘキサメチレンが１０％、シリコンが５〜１０％、感光性樹脂が１〜２０％、感光性モノマーが４０〜７０％、光開始剤が１〜１０％、その他添加剤が５％未満それぞれ含有されてなる紫外線硬化型インキを用いることができ、その一例としては、株式会社Ｔ＆Ｋ  ＴＯＫＡ製のベストキュアーＵＶコートニス／フレキソニスシリーズを用いることが考えられる。
【００２２】
シリコン層５０ａの伝票用紙１０との積層面とは反対側の面には、ニスが、例えば１〜５μｍの厚さでパターン塗布されることでニス層５０ｂが部分的に積層されている。このニス層５０ｂとしては、例えば、固形パラフィンが１〜５％、シリカが０．１〜５％、感光性樹脂が１〜２０％、感光性モノマーが３０〜７０％、光開始剤が５〜１５％、その他添加剤が５％未満それぞれ含有されてなる紫外線硬化型インキを用いることができ、その一例としては、株式会社Ｔ＆Ｋ  ＴＯＫＡ製のＵＶハクリＯＰニスシリーズを用いることが考えられる。ニス層５０ｂは、例えば、配達票１１をフィルム層３０から剥離する際の剥離開始端となる角部から、その角部に対向する角部に向かう方向を長辺とする複数の長方形が一定の規則で配列され、その長方形の内部に積層されている。これは、シリコン層５０ａ上に、例えば５０％の濃度のスクリーン印刷によってニス層５０ｂを積層することで実現することが考えられる。
【００２３】
フィルム層３０は、オレフィン系樹脂等からなり、上述したようにニス層５０ｂが積層されたシリコン層５０ａの伝票用紙１０との積層面とは反対側の面の全面に積層されている。それにより、伝票用紙１０のうち配達票１１及び貼付票１２においてはシリコン層５０ａ及びニス層５０ｂによって剥離可能にフィルム層３０に貼着されている。このフィルム層３０としては、その厚さが、坪量にて２５±５ｇ程度のものが考えられ、例えば、株式会社ＭＯＲＥＳＣＯ製のモレスコメルトＥＰ−８０を用いることが考えられる。
【００２４】
伝票用紙１０の納品書１３となる領域のうちミシン目１５に沿う領域を除いた全面と、フィルム層３０の裏面には、粘着剤が、例えば５〜２０μｍの厚さで塗布されることで粘着層４０が積層されている。この粘着層４０としては、例えば、株式会社ＭＯＲＥＳＣＯ製のモレスコメルトＴＮ−５６７Ｚを用いることが考えられる。
【００２５】
そして、フィルム層３０と納品書１３とに渡って、剥離紙２０が粘着層４０によって剥離可能に貼着されている。
【００２６】
剥離紙２０は、例えばグラシン紙等からなる台紙シート２１の表面に、第２の剥離層となるシリコン層２２が積層されて構成されており、シリコン層２２が積層された面にフィルム層３０と納品書１３が剥離可能に貼着されている。剥離紙２０は、配達票１１及び貼付票１２に対向する領域と納品書１３に対向する領域とがミシン目２３を介して連接した１枚の構成となっている。
【００２７】
以下に、上述した配送ラベル１の製造方法について説明する。
【００２８】
図２は、図１に示した配送ラベル１が製造されていく様子を示す配送ラベル１の断面図である。
【００２９】
図１に示した配送ラベル１を製造する場合はまず、ウェブ状となった伝票用紙１０がロールから引き出され、伝票用紙１０の表面に、配送情報表示領域１１ａ，１２ａ、押印領域１１ｂ及び納品情報表示領域１３ｅを構成する枠等のプレ印刷が施される。
【００３０】
次に、伝票用紙１０の配達票１１及び貼付票１２となる領域の裏面に、上述したような材料からなるシリコンが塗布されることによってシリコン層５０ａが積層される（図２（ａ））。この際、ミシン目１５が形成されることとなる部分に一定幅を有して沿う領域にはシリコン層５０ａは積層されない。
【００３１】
次に、シリコン層５０ａの伝票用紙１０との積層面とは反対側の面の全面に、上述したような材料からなるニスがパターンで塗布されることによってニス層５０ｂが積層される（図２（ｂ））。
【００３２】
次に、ニス層５０ｂが積層されたシリコン層５０ａの伝票用紙１０との積層面とは反対側の面の全面に、上述したような材料からなる樹脂が塗布されることにより、フィルム層３０が形成、積層される（図２（ｃ））。
【００３３】
一方、台紙シート２１にシリコン層２２が積層されてなる剥離紙２０のシリコン層２２上に、粘着剤が塗布されることにより、粘着層４０が積層される（図２（ｄ））。この際、ミシン目２３が形成されることとなる部分に一定幅を有して沿う領域には粘着層４０は積層されない。
【００３４】
その後、配達票１１及び貼付票１２となる領域にシリコン層５０ａ、ニス層５０ｂ及びフィルム層３０が積層された伝票用紙１０と、シリコン層２２上に粘着層４０が積層された剥離紙２０とが、粘着層４０を介して貼着される。また、伝票用紙１０の配達票１１と貼付票１２との境界部分にスリット１４が入れられるとともに、配達票１１及び貼付票１２と納品書１３との境界部分にミシン目１５が入れられる。また、剥離紙２０においても、配達票１１及び貼付票１２に対向する領域と納品書１３に対向する領域との境界部分にミシン目２３が入れられる（図２（ｅ））。
【００３５】
このようにして、伝票用紙１０の裏面に、シリコン層５０ａ、ニス層５０ｂ、フィルム層３０及び粘着層４０が積層され、粘着層４０を介して剥離紙２０が接着されてなるウェブ状の配送ラベル１が製造され、配送ラベルロールとして巻き取られて保管され、その後、配送ラベル１の使用時に単片状の配送ラベル１に断裁されることになる。
【００３６】
なお、台紙シート２１にシリコン層２２が積層されてなる剥離紙２０のシリコン層２２上に粘着層４０を積層し、その後、配達票１１及び貼付票１２となる領域にシリコン層５０ａ、ニス層５０ｂ及びフィルム層３０が積層された伝票用紙１０と、シリコン層２２上に粘着層４０が積層された剥離紙２０とを粘着層４０を介して貼着するのではなく、シリコン層５０ａ、ニス層５０ｂ及びフィルム層３０が一部に積層された伝票用紙１０の、シリコン層５０ａニス層５０ｂ及びフィルム層３０が一部に積層された面に粘着層４０を積層しておき、台紙シート２１にシリコン層２２が積層されてなる剥離紙２０を粘着層４０を覆って貼着してもよい。
【００３７】
以下に、上述した配送ラベル１の使用方法及びその際の作用について説明する。
【００３８】
図３は、図１に示した配送ラベル１の配達票１１及び貼付票１２と納品書１３との分離方法を説明するための図である。
【００３９】
上述した配送ラベル１は、図３（ａ）に示すように、配送情報表示領域１１ａ，１２ａのそれぞれに、配送物の配送先の住所や氏名あるいは名称、品名等の配送情報１１ｃ，１２ｃが印字または記入されるとともに、納品情報表示領域１３ｅに配送物の納品情報１３ｆが印字または記入された後、伝票用紙１０のミシン目１５及び剥離紙２０のミシン目２３がそれぞれ破断されることで、配達票１１及び貼付票１２と納品書１３とに分離されていく。
【００４０】
そして、図３（ｂ）に示すように、伝票用紙１０のミシン目１５及び剥離紙２０のミシン目２３がそれぞれ完全に破断され、配達票１１及び貼付票１２と納品書１３とが、剥離紙２０が貼着された状態で分離される。この際、伝票用紙１０のミシン目１５及び剥離紙２０のミシン目２３に沿う領域には粘着層４０が積層されていないため、配達票１１及び貼付票１２と納品書１３とを分離しやすく、また、分離した面から粘着剤がはみ出てくる虞がない。
【００４１】
図４は、図１に示した配達票１１及び貼付票１２が被着体となる配送物に貼付されるまでの使用方法を説明するための図である。
【００４２】
上記のようにして納品書１３から分離された配達票１１及び貼付票１２は、図４（ａ）に示すように、被着体となる配送物に貼付するために剥離紙２０が剥離される。
【００４３】
剥離紙２０が剥離されると、フィルム層３０に積層された粘着層４０が表出し、図４（ｂ）に示すように、表出した粘着層４０によって配達票１１及び貼付票１２が配送物２に貼付される。配達票１１及び貼付票１２が貼付された配送物２は、配送情報表示領域１１ａ，１２ａに印字または記入された配送情報１１ｃ，１２ｃに従って配送先に配送されていく。
【００４４】
図５は、図１に示した納品書１３が被着体となる配送物に貼付されるまでの使用方法を説明するための図である。
【００４５】
上記のようにして配達票１１及び貼付票１２から分離された納品書１３は、図５（ａ）に示すように、被着体となる配送物に貼付するために剥離紙２０が剥離される。
【００４６】
剥離紙２０が剥離されると、剥離紙２０との積層面に積層された粘着層４０が表出し、図５（ｂ）に示すように、表出した粘着層４０によって納品書１３が配送物２に貼付される。例えば、配送物が段ボール箱に収納されている場合、その段ボール箱の内面となる部分に納品書１３を貼付することが考えられる。また、剥離紙２０を剥離せず、剥離紙２０が貼着されたままタグ形態として段ボール箱に配送物とともに収納することも考えられる。
【００４７】
図６は、図１に示した配達票１１及び貼付票１２が配送物に貼付された後に配達票１１を剥離する際の作用を説明するための図である。
【００４８】
図１に示した配達票１１及び貼付票１２が貼付された配送物２が配送先に配送され、図６（ａ）に示すように、配達票１１に設けられた押印領域１１ｂに受領印１１ｄが押下された後、配達票１１がフィルム層３０から剥離されていく。配達票１１はその裏面に積層されたシリコン層５０ａ及びニス層５０ｂによってフィルム層３０から剥離可能となっているため、配達票１１をフィルム層３０から剥離することができ、また、配達票１１がスリット１４によって貼付票１２から分離可能となっているため、配達票１１を貼付票１２から分離することができる。それにより、図６（ｂ）に示すように、配達票１１のみをフィルム層３０から剥離することで配送物２から剥離することができる。
【００４９】
図７は、図１に示した配達票１１及び貼付票１２が配送物に貼付された後に貼付票１２を剥離する際の作用を説明するための図である。
【００５０】
上述したように配達票１１がフィルム層３０から剥離された後、貼付票１２の配送情報表示領域１２ａに印字または記入された配送情報１２ｃの漏えいを回避する場合、配送物２の配送先において、図７（ａ）に示すように、貼付票１２がフィルム層３０から剥離されていく。貼付票１２はその裏面に積層されたシリコン層５０ａ及びニス層５０ｂによってフィルム層３０から剥離可能となっているため、貼付票１２をフィルム層３０から剥離することができ、図７（ｂ）に示すように、配達票１１と同様に配送物２から剥離することができる。
【００５１】
このように、本形態においては、伝票用紙１０の一方の面と粘着層４０との間にシリコン層５０ａ、ニス層５０ｂ及びフィルム層３０が積層されることによって伝票用紙１０とフィルム層３０との２枚のシートが剥離可能に積層された剥離構造が、伝票用紙１０のうち配達票１１及び貼付票１２となる領域のみに設けられているため、伝票用紙１０のその他の領域においては、被着体に貼付した後に剥離する必要がない納品書１３として使用することができる。その際、納品書１３にて粘着層４０が積層されているため、ラベル形態として被着体に貼付することができる。
【００５２】
なお、本形態においては、貼付票１２となる領域の積層構造が配達票１１となる領域の積層構造と同じものとなっているが、貼付票１２となる領域の積層構造を納品書１３となる領域の積層構造と同じものとすることも考えられる。その場合、貼付票１２の裏面にはシリコン層５０ａ及びニス層５０ｂを介してフィルム層３０が積層されていないことから、貼付票１２が配送物から剥離困難なものとなり、貼付票１２が配送物から不用意に脱落してしまったり、配達票１１と間違えて配送物から剥離してしまったりすることが回避される。また、必要となるフィルム層３０の面積が狭くなることで製造コストを削減することができる。なお、剥離困難とは、貼付票１２を人間の手によって配送物から剥離した場合に、貼付票１２自体が裂かれたり厚み方向に分割されたりする程度に強接着されることである。
【００５３】
（第２の実施の形態）
図８は、本発明の積層ラベルの第２の実施の形態を示す図であり（ａ）は表面図、（ｂ）は（ａ）に示したＡ−Ａ’断面図である。
【００５４】
本形態における積層ラベルは図８に示すように、図１に示したものに対して、納品書１３に対向する領域には、粘着層４０も剥離紙２０も積層されていない点が異なる配送ラベル１０１である。そのため、剥離紙１２０を構成する台紙シート１２１が、配達票１１と貼付票１２とを合わせた大きさのものとなっている。
【００５５】
本形態における配送ラベル１０１は、図１に示した配送ラベル１と同様に、ミシン目１５が破断されることで、配達票１１及び貼付票１２と納品書１３とが分離されて使用されることになるが、納品書１３に対向する領域には、粘着層４０も剥離紙２０も積層されていないため、納品書１３は、被着体に貼付されることなく１枚のシートとして使用されることになる。
【００５６】
（第３の実施の形態）
図９は、本発明の積層ラベルの第３の実施の形態を示す図であり（ａ）は表面図、（ｂ）は（ａ）に示したＡ−Ａ’断面図である。
【００５７】
本形態における積層ラベルは図９に示すように、図１に示したものに対して、第２の領域として納品書１３の代わりにラベル片２１３が配達票１１及び貼付票１２にミシン目１５を介して分離可能に連接している点が異なる配送ラベル２０１である。
【００５８】
ラベル片２１３は、伝票用紙２１０にスリット２１６が形成されており、このスリット２１６によって囲まれた領域がラベル２１３ａとなっている。すなわち、ラベル２１３ａは、スリット２１６によってラベル片２１３から分離可能に区画形成されている。
【００５９】
以下に、上記のように構成された配送ラベル２０１の使用方法について説明する。
【００６０】
図１０は、図９に示した配送ラベル２０１の使用方法を説明するための図である。
【００６１】
図９に示した配送ラベル２０１においては、ラベル片２１３が剥離紙２０に剥離可能に貼着されているとともに、ラベル２１３ａがスリット２１６によってラベル片２１３から分離可能に区画形成されているため、図１０（ａ）に示すように、配送情報表示領域１１ａ，１２ａのそれぞれに、配送物の配送先の住所や氏名あるいは名称、品名等の配送情報１１ｃ，１２ｃが印字または記入された後、ラベル片２１３のうちラベル２１３ａのみを粘着層４０とともに剥離紙２０から剥離することができる。
【００６２】
そして、ラベル２１３ａの裏面には粘着層４０が積層されているため、ラベル２１３ａが剥離紙２０から剥離されると粘着層４０が表出し、この粘着層４０によって、図１０（ｂ）に示すように、配送ラベル２０１から分離したラベル２１３ａを被着体である物品２０３に貼付することができる。
【００６３】
その後、ミシン目１５を破断することで、配達票１１及び貼付票１２をラベル片２１３から分離し、図１に示したものと同様にして配達票１１及び貼付票１２を使用することができる。
【００６４】
このように、本形態においては、伝票用紙２１０の一方の面と粘着層４０との間にシリコン層５０ａ、ニス層５０ｂ及びフィルム層３０が積層されることによって伝票用紙２１０とフィルム層３０との２枚のシートが剥離可能に積層された剥離構造が、伝票用紙２１０のうち配達票１１及び貼付票１２となる領域のみに設けられており、また、伝票用紙２１０のその他の領域となるラベル片２１３においては、ラベル２１３ａがスリット２１６によって分離可能に区画形成されているため、ラベル片２１３からラベル２１３ａを分離して粘着層４０とともに被着体に貼付することができる。
【００６５】
（第４の実施の形態）
図１１は、本発明の積層ラベルの第４の実施の形態を示す図であり（ａ）は表面図、（ｂ）は（ａ）に示したＡ−Ａ’断面図である。
【００６６】
本形態における積層ラベルは図１１に示すように、図１に示したものに対して、第２の領域として納品書１３の代わりにタック片３１３が配達票１１及び貼付票１２にミシン目１５を介して分離可能に連接している点が異なる配送ラベル３０１である。
【００６７】
タック片３１３の裏面には、図１に示した納品書１３と同様にミシン目１５に沿う領域には粘着層４０が積層されていないものの、その領域を除いてミシン目１５から一定の幅を持って帯状に粘着層４０が積層されている。そして、タック片３１３は、この粘着層４０を介して剥離紙３２０が剥離可能に貼着されている。そのため、剥離紙３２０を構成する台紙シート３２１が、配達票１１及び貼付票１２に対向する領域から粘着層４０の幅だけ突出した大きさを有し、配達票１１及び貼付票１２に対向する領域とその突出した領域との間にミシン目２３が形成されている。
【００６８】
以下に、上記のように構成された配送ラベル３０１の使用方法について説明する。
【００６９】
図１２は、図１１に示した配送ラベル３０１の使用方法を説明するための図である。
【００７０】
図１１に示した配送ラベル３０１においては、タック片３１３が、剥離紙３２０に剥離可能に貼着されているとともに、ミシン目１５によって配達票１１及び貼付票１２から分離可能となっているため、図１２（ａ）に示すように、配送情報表示領域１１ａ，１２ａのそれぞれに、配送物の配送先の住所や氏名あるいは名称、品名等の配送情報１１ｃ，１２ｃが印字または記入された後、ミシン目１５を破断しながら、剥離紙３２０から剥離することができる。
【００７１】
そして、タック片３１３の裏面には、ミシン目１５を破断した辺から一定の幅を持って帯状に粘着層４０が積層されているため、タック片３１３が配達票１１及び貼付票１２から分離して剥離紙３２０から剥離されると粘着層４０が表出し、この粘着層４０によって、図１２（ｂ）に示すように、タック片３１３を被着体である物品２０３に貼付することができる。
【００７２】
その後、ミシン目１５が破断することで、タック片３１３から分離した配達票１１及び貼付票１２を、図１に示したものと同様にして使用することができる。
【００７３】
このように、本形態においては、伝票用紙３１０の一方の面と粘着層４０との間にシリコン層５０ａ、ニス層５０ｂ及びフィルム層３０が積層されることによって伝票用紙３１０とフィルム層３０との２枚のシートが剥離可能に積層された剥離構造が、伝票用紙３１０のうち配達票１１及び貼付票１２となる領域のみに設けられており、また、伝票用紙２１０のその他の領域となるタック片３１３においては、裏面の一部に粘着層４０が積層されているため、タック片３１３を配達票１１及び貼付票１２から分離して粘着層４０によって被着体に貼付することができる。
【００７４】
なお、上述した実施の形態においては、貼付票１２の裏面の積層構造が配達票１１の裏面の積層構造と同一となっており、貼付票１２も、配送物に貼付された状態から伝票用紙１０，２１０，３１０をフィルム層３０から剥離することで、配送物から剥離可能なものとなっているが、貼付票１２は必ずしも配送物から剥離される必要はないため、納品書１３のように粘着層４０のみを介して剥離紙２０が貼着された構成としてもよい。
【００７５】
（第５の実施の形態）
図１３は、本発明の積層ラベルの第５の実施の形態を示す図であり（ａ）は表面図、（ｂ）は（ａ）に示したＡ−Ａ’断面図である。
【００７６】
本形態における積層ラベルは図１３に示すように、図１に示したものに対して、納品書１３に対向する領域においては、台紙シート２１の表面にシリコン層２２が積層されておらず、台紙シート２１が粘着層４０によって伝票用紙１０に剥離困難に貼着されている点が異なる配送ラベル４０１である。そのため、剥離紙４２０は、配達票１１及び貼付票１２に対向する領域においてのみ、台紙シート２１の表面にシリコン層２２が積層されて構成されている。
【００７７】
本形態における配送ラベル４０１は、図１に示した配送ラベル１と同様に、ミシン目１５が破断されることで、配達票１１及び貼付票１２と納品書１３とが分離されて使用されることになるが、納品書１３に対向する領域は、台紙シート２１が粘着層４０によって伝票用紙１０に剥離困難に貼着されているため、納品書１３は、被着体に貼付されることなくタグ形態として配送物とともに段ボール箱等に収納されて使用されることになる。
【符号の説明】
【００７８】
１，１０１，２０１，３０１，４０１    配送ラベル
２    配送物
１０，２１０，３１０    伝票用紙
１１    配達票
１１ａ，１２ａ    配送情報表示領域
１１ｂ    押印領域
１１ｃ，１２ｃ    配送情報
１１ｄ    受領印
１２    貼付票
１３    納品書
１３ｅ    納品情報表示領域
１３ｆ    納品情報
１４，２１６    スリット
１５，２３    ミシン目
２０，１２０，３２０，４２０    剥離紙
２１，１２１，３２１    台紙シート
２２，５０ａ    シリコン層
３０    フィルム層
４０    粘着層
５０ｂ    ニス層
２０３，３０３    物品
２１３    ラベル片
２１３ａ    ラベル
３１３    タック片
【図１】
2018077407.tif 000003
【図２】
2018077407.tif 000004
【図３】
2018077407.tif 000005
【図４】
2018077407.tif 000006
【図５】
2018077407.tif 000007
【図６】
2018077407.tif 000008
【図７】
2018077407.tif 000009
【図８】
2018077407.tif 000010
【図９】
2018077407.tif 000011
【図１０】
2018077407.tif 000012
【図１１】
2018077407.tif 000013
【図１２】
2018077407.tif 000014
【図１３】
2018077407.tif 000015